(57)【要約】【課題】デジタルカメラ等で撮像された画像ファイルのファクシミリ通信をより効果的に行うこと。【解決手段】画像情報を通信可能なファクシミリ装置において、受信する画像情報が示す画像のサイズを判定し、そのサイズに応じて、画像情報を記録材に記録するか、或いは、記憶媒体に格納するかを決定する。そのため、ＤＣＳ信号のＦＩＦのＸ＋１ビットについて、自由サイズ（非定型サイズ）幅での送信を行う旨の通知用に割り当て、受信側のファクシミリ装置は、このビットが１の場合に、自由サイズ幅の画像情報と判定して、受信した画像情報をメモリカードに格納する。【選択図】　図２
2004140468.tif 000002
【特許請求の範囲】
【請求項１】
画像情報を通信可能なファクシミリ装置において、
受信する画像情報が示す画像のサイズを判定し、
前記画像のサイズに応じて、該画像情報を記録材に記録するか、或いは、記憶媒体に格納するかを決定することを特徴とするファクシミリ装置。
【発明の詳細な説明】
【０００１】
【発明の属する技術分野】
本発明は、ファクシミリ通信に関するものである。
【０００２】
【従来の技術】
従来のカラーファクシミリ装置は、カラー原稿上の画像をスキャニングして、色空間Ｌａｂを用いた画像データを生成し、その画像データを送受信するものが一般的である。
【０００３】
【発明が解決しようとする課題】
しかし、最近は、原稿を読みとって生成した画像データだけではなく、デジタルカメラ等の撮影することにより生成された画像データをも、そのままファクシミリプロトコルを使用して送受信可能なファクシミリ装置の実現が望まれている。そのようなファクシミリ装置が実現した場合、受信側のファクシミリ装置においては、原稿読取り画像情報の受信であるか否かで異なる処理を行うことが望ましい。
【０００４】
例えば、デジタルカメラ等で撮影した画像情報を受信した場合には、その画像情報を記録材に記録するよりも、メモリカード等の記憶媒体に格納した方が望ましい場合が多いと考えられる。
【０００５】
本発明は、上記要望を鑑みたものであり、その目的とするところは、ファクシミリ通信をより効果的に行うことにある。
【０００６】
【課題を解決するための手段】
上記目的を達成するため、本発明に係る装置は、受信する画像情報が示す画像のサイズを判定し、前記画像のサイズに応じて、該画像情報を記録材に記録するか、或いは、記憶媒体に格納するかを決定することを特徴とする。
【０００７】
【発明の実施の形態】
以下に、図面を参照して、この発明の好適な実施の形態を例示的に詳しく説明する。ただし、この実施の形態に記載されている構成要素はあくまで例示であり、この発明の範囲をそれらのみに限定する趣旨のものではない。
【０００８】
（第１の実施形態）
図１は、本発明の第１実施形態であるファクシミリ装置の概略構成を示すブロック図である。
【０００９】
２は、ＮＣＵ（網制御装置）である。これは、電話網をデータ通信等に使用するために、その回線の端末に接続し、電話交換網の接続制御を行ったり、データ通信路への切り換えを行ったり、ループの保持を行うものである。また、ＮＣＵ２は、バス２６からの制御により、電話回線２ａを電話機側に接続（ＣＭＬオフ）したり、電話回線２ａをファクシミリ装置側に接続（ＣＭＬオン）するものである。なお、通常状態では、電話回線２ａは、電話機４側に接続されている。
【００１０】
４は、電話機である。６は、ハイブリッド回路であり、送信系の信号と受信系の信号とを分離し、加算回路１２からの送信信号をＮＣＵ２経由で電話回線２ａに送出し、相手側からの信号をＮＣＵ２経由で受け取り、信号線６ａ経由で復調器８に送るものである。
【００１１】
８は、変復調器であり、ＩＴＵ−Ｔ勧告Ｖ．８、Ｖ．２１、Ｖ．２７ｔｅｒ、Ｖ．２９、Ｖ．１７、Ｖ．３４に基づいた変調及び復調を行う変復調器であり、バス２６の制御により、各伝送モードが指定される。変復調器８は、バス２６からの送信信号を入力し、変調データを信号線８ａに出力し、信号線６ａに出力されている受信信号を入力し、復調データをバス２６に出力する。
【００１２】
１０は、発呼回路であり、バス２６からの信号により、電話番号情報を入力し、信号線１０ａにＤＴＭＦの選択信号を出力する。１２は、加算回路であり、信号線８ａの情報と信号線１０ａの情報を入力し、加算した結果を信号線１２ａに出力する。１４は、カラー読み取り可能な読取回路であり、読み取りデータをバス２６に出力する。１６は、カラー記録可能な記録回路であり、バス２６に出力されている情報を順次１ライン毎に記録する。
【００１３】
１８は、メモリ（ＲＡＭ）である。ワーク用の領域の他、読み取りデータの生情報、あるいは、符号化した情報を格納したり、また、受信情報、あるいは、復号化した情報等をバス２６を介して格納したりする領域を有する。２０は、操作部であり、ワンタッチダイヤル、短縮ダイヤル、テンキー、＊キー、＃キー、スタートキー、ストップキー、セットキー、ファイル情報の送信を選択するキー、カラー原稿送信選択キー、その他のファンクションキーがあり、押下されたキー情報はバス２６に出力される。操作部２０には、表示部があり、バス２６に出力されている情報を入力し、表示する。
【００１４】
２２は、ＣＰＵ（中央処理装置）であり、ファクシミリ全体の制御をしたり、ファクシミリ伝送制御手順を実行するが、その制御プログラムは、ＲＯＭ２４に格納される。
【００１５】
２６は、バスである。２８は、カードインターフェイスであり、３０のメモリカード（例えば、デジタルカメラで撮影した情報が記憶されているコンパクトフラッシュ（登録商標）カード）がセットされる。
【００１６】
２４は、本実施形態に係るファクシミリ装置全体を制御する制御プログラムを格納するＲＯＭである。
【００１７】
この制御プログラムは、ファクシミリ受信の前手順において、送信側のファクシミリ装置に対し、色空間ＬａｂでのＪＰＥＧ符号化情報の受信機能の有無、色空間Ｌａｂでのフルカラー情報の受信機能の有無、色空間ｓＹＣＣでのＪＰＥＧフルカラー符号化情報の受信機能の有無、及び、非定型サイズの情報の受信機能の有無、といった機能情報を通知する手段としてＣＰＵを機能させるプログラムを含んでいる。また、この制御プログラムは、ファクシミリ送信の前手順において、受信側のファクシミリ装置に対し、色空間ＬａｂでのＪＰＥＧ符号化情報の送信か否か、色空間Ｌａｂでのフルカラー情報の送信か否か、色空間ｓＹＣＣでのＪＰＥＧフルカラー符号化情報の送信か否か、及び非定型サイズの情報の送信か否か、といった送信情報を通知する手段としてＣＰＵを機能させるプログラムをも含んでいる。
【００１８】
そして、この制御プログラムは、上記のような機能情報を受信側のファクシミリ装置から受け取りその内容を解析する手段としてＣＰＵを機能させるプログラム及び上記のような送信情報を送信側のファクシミリ装置から受け取りその内容を解析する手段としてＣＰＵを機能させるプログラムをも含む。
【００１９】
更に、この制御プログラムは、ファクシミリ受信時に通知された送信情報から、受信する画像情報が示す画像のサイズを判定する手段としてＣＰＵを機能させるプログラムと、画像のサイズが非定型サイズである場合には、受信後、その画像情報を所定の記憶媒体に格納する格納手段としてＣＰＵを機能させるプログラムとを含む。
【００２０】
具体的には、本実施形態に係るファクシミリ装置は、図２に示すＤＩＳ／ＤＴＣ信号及びＤＣＳ信号のやりとりによって、上記の機能情報、送信情報を通知しあうことができる。
【００２１】
図２は、カラー関連のビット情報、さらに、新規にＩＴＵ−Ｔ勧告Ｔ．３０に追加する情報を示す図である。
【００２２】
ＤＩＳ／ＤＴＣ信号のＦＩＦ（Ｆａｃｓｉｍｉｌｉ　Ｉｍｆｏｒｍａｔｉｏｎ　Ｆｉｅｌｄ）の６８ビットにおいて、色空間ＬａｂでのＪＰＥＧ符号化での受信機能の有無を通知する。ＤＩＳ／ＤＴＣ信号のＦＩＦの６８ビットが１の場合には、色空間Ｌａｂで表したデータをＪＰＥＧ符号化した信号を受信可能であることを表す。又、ＤＣＳ信号のＦＩＦの６８ビットにより、色空間ＬａｂでのＪＰＥＧ符号化での送信を指定する。ＤＣＳ信号のＦＩＦの６８ビットが１の場合には、色空間ＬａｂでＪＰＥＧ符号化での送信を行うことを示す。
【００２３】
また、ＤＩＳ／ＤＴＣ信号のＦＩＦの６９ビットにより、色空間はＬａｂであるフルカラー受信機能の有無を通知し、ＤＣＳ信号のＦＩＦの６９ビットにより、色空間Ｌａｂでのフルカラー送信を指定する。ＤＩＳ／ＤＴＣ信号のＦＩＦの６９ビットが１の場合には、色空間Ｌａｂで表したフルカラーデータを受信可能であることを表す。一方、ＤＣＳ信号のＦＩＦの６８ビットが１の場合には、色空間Ｌａｂで表したフルカラーデータを送信することを示す。
【００２４】
ＤＩＳ／ＤＴＣ信号のＦＩＦのＸビットにより、色空間ｓＹＣＣでのＪＰＥＧ符号化／フルカラー受信機能の有無を通知し、ＤＣＳ信号のＦＩＦのＸビットにより、色空間ｓＹＣＣでのＪＰＥＧ符号化／フルカラー送信を指定する。なお、Ｘは現在勧告で決まっていない番号である。ここでは、例として、ＤＩＳ／ＤＴＣ信号のＦＩＦのＸビットが１の場合には、色空間ｓＹＣＣでＪＰＥＧ符号化されたフルカラー画像情報を受信可能であることを表し、ＤＣＳ信号のＦＩＦのＸビットが１の場合には、色空間ｓＹＣＣでのＪＰＥＧ符号化されたフルカラー画像情報を送信することを示す。
【００２５】
また、ＤＩＳ／ＤＴＣ信号のＦＩＦのＸ＋１ビットにより、自由サイズ（非定型サイズ）幅の画像情報を受信できる機能の有無を通知し、ＤＣＳ信号のＦＩＦのＸ＋１ビットにより、自由サイズ幅の画像情報の送信を指定する。ここでは、例として、ＤＩＳ／ＤＴＣ信号のＦＩＦのＸ＋１ビットが１の場合には、自由サイズ幅の画像情報を受信できることを示し、ＤＣＳ信号のＦＩＦのＸ＋１ビットが１の場合には、自由サイズ幅の画像情報を送信することを示す。
【００２６】
なお、上記のＸは、現在のＩＴＵ−Ｔ勧告Ｔ．３０では用いられていないＦＩＦの任意のビット番号であれば良く、例えば１００ビットなどでもよい。また、ここでは、例示的にＸビットと共にＸ＋１ビットを用いることとしているが必ずしも隣り合うビットである必要はなく、自由サイズでの画像情報に関するビットは、Ｘとは全く無関係のビット番号であってもよい。
【００２７】
図２のようなＤＩＳ／ＤＴＣ信号及びＤＣＳ信号のやりとりを行えば、ファクシミリ受信の前処理において、色空間ｓＹＣＣのＪＰＥＧフルカラー画像情報であってかつ非定型サイズの画像情報が送信されてくるか否かを判定でき、そのような画像情報が送信されると判定した場合には、受信した画像情報をメデイア（記憶媒体）に格納する。
【００２８】
つまり、ＤＣＳ信号のＦＩＦのＸビットが１であって、かつ、ＤＣＳ信号のＦＩＦのＸ＋１ビットも１である場合には、色空間ｓＹＣＣのＪＰＥＧフルカラー画像情報であって、非定型サイズの画像情報が送信されてくると判断し、その画像情報は通常のファクシミリ送信操作による原稿読取り画像ではないと判定して、所定のメデイアに格納する。そして定型サイズの画像情報が送信されてくる場合には、原稿読取り画像であると判定して受信情報をプリントする。
【００２９】
図３〜図６は、本実施形態に係るファクシミリ装置のＣＰＵ１８がＲＯＭ２４に格納された制御プログラムを実行した場合の処理の流れを示すフローチャートである。
【００３０】
まず、ステップＳ２において、ＣＰＵ２２は、バス２６を介して、メモリ１８をイニシャライズする。次にステップＳ４において、ＣＰＵ２２は、バス２６を介して、操作部２０の表示部をクリアする。更にステップＳ６において、バス２６を介してＮＣＵ２のＣＭＬをオフする。つまり、ここでは、電話回線２ａを電話機４側に接続する。
【００３１】
続いてステップＳ８では、ファクシミリ受信が選択されたか否かが判断されＹＥＳであるとＳ１２に進む。ＮＯであるとＳ１０に進み、ファクシミリ受信以外の処理が選択された場合には、その処理をしてステップＳ６に戻る。何も選択されたいない場合にはそのままステップＳ６に戻る。
【００３２】
ファクシミリ受信が選択されると、ステップＳ１２で、バス２６を介してＮＣＵ２のＣＭＬをオンにし、電話回線２ａをファクシミリ装置側に接続する。そして、ステップＳ１４にて、ファクシミリ受信時の一般的な前手順を行う。ここで、ＤＩＳ信号のＦＩＦの６８、６９、Ｘ、Ｘ＋１ビットは１とする。
【００３３】
ステップＳ１６では、ＤＣＳ信号のＦＩＦのＸビットは１であるか否かが判断され、ＹＥＳであると図４（ｃ）のステップＳ２８に進み、ＮＯであるとステップＳ１８に進む。
【００３４】
ステップＳ１８では、ＤＣＳ信号のＦＩＦの６８、６９ビットは１であるか否かが判断され、ＹＥＳであると図４（ａ）のステップＳ２０に進み、ＮＯであると図４（ｂ）のステップＳ２４に進む。
【００３５】
ステップＳ２０は、色空間ＬａｂのＪＰＥＧ符号化のフルカラー情報を受信し記録することを表している。ステップＳ２２は、後手順を表している。
【００３６】
ステップＳ２４は、モノクロ情報を受信し記録することを表している。ステップＳ２６は、後手順を表している。
【００３７】
ステップＳ２８では、ＤＣＳ信号のＦＩＦのＸ＋１ビットは１であるか否かが判断され、ＹＥＳであると図５のステップＳ３４に進み、ＮＯであるとステップＳ３０に進む。
【００３８】
ステップＳ３０は、色空間ｓＹＣＣのＪＰＥＧ符号化のフルカラー情報を受信し記録することを表している。ステップＳ３２は、後手順を表している。
【００３９】
図５のステップＳ３４は、色空間ｓＹＣＣのＪＰＥＧ符号化のフルカラー情報を受信し、カードインターフェイスにセットされているメモリカードに格納することを表している。ステップＳ３６は、後手順を表している。
【００４０】
なお、ここではステップＳ３４でメモリカードに格納するものとしているが、本発明はこれに限定されるものではなく、如何なる記憶媒体にも適用できる。ただし、着脱可能な記憶媒体であって、デジタルカメラなどの撮像装置に対してもデータを供給できるものであれば、なお望ましい。撮像装置で撮像された画像データが、ファクシミリ通信を介して、他の撮像装置に移されることになり、撮像装置のユーザにとって非常に使い勝手が良くなるからである。
【００４１】
また、ここで色空間ｓＹＣＣのデータである場合にのみ非定型サイズか否かを判定しているのは、色空間Ｌａｂでのデータは送信側装置の読取部で原稿を定型サイズとして読み取ったデータであるからであり、これにより処理負荷の軽減を図ることができる。
【００４２】
以上のように処理することにより、本実施形態では、色空間ｓＹＣＣのＪＰＥＧフルカラー情報を受信しても、定型サイズの受信、すなわち、原稿情報の受信であると判断した時は、受信情報をプリントし、定型サイズの受信でない、すなわち、原稿情報の受信で無く、写真（例えば、デジタルカメラで撮影した情報）等の受信であると判断した時は、受信情報をメデイアに格納する。これにより、本実施形態に係るファクシミリ装置のユーザは、定型原稿の読取り情報を受信した場合は、従来通り、直ちにプリントを手にすることができ、原稿情報の受信で無い場合には、データの再利用が可能になるという効果を有する。すなわち、受信機側での受信情報の確実な処理が可能になり使い易くなった。
【００４３】
（第２の実施形態）
本実施形態は、上記第１実施形態に対し、更に、色空間ＬａｂのＪＰＥＧフルカラーを受信時でも、非定型サイズの画像情報が送信されてきた場合には、受信画像情報をメデイアに格納するものである。
【００４４】
それ以外の構成及び動作については、上記第１実施形態と同様であるためここでは説明を省略する。
【００４５】
図６は、上記第１実施形態と異なる部分の処理について説明するフローチャートである。
【００４６】
本実施形態では、図３のステップＳ１８でＹＥＳと判定されると、ステップＳ４２に進む。つまり、色空間ｓＹＣＣでＪＰＥＧ符号化されたフルカラー画像情報が送信されたのではなく、色空間ＬａｂでＪＰＥＧ符号化されたフルカラー画像情報が送信されたと判定した場合に、ステップＳ４２において、ＤＣＳ信号のＦＩＦのＸ＋１ビットは１であるか否か、つまり、受信画像は非定型サイズか否かを判断する。ＹＥＳであるとステップＳ４６に進み、ＮＯであると図４（ａ）のステップＳ２０に進む。
【００４７】
ステップＳ４６は、色空間ＬａｂのＪＰＥＧ符号化のフルカラー情報を受信し、カードインターフェイス２８にセットされているメモリカード３０に格納することを表している。ステップＳ４８は、後手順を表している。その後、図３のステップＳ６に戻る。
【００４８】
以上、本実施形態では、色空間ｓＹＣＣのＪＰＥＧフルカラー情報を受信した場合のみならず、色空間ＬａｂのＪＰＥＧフルカラー情報を受信した時にも、非定型サイズの受信であれば、写真（例えば、デジタルカメラで撮影した情報）等の受信であると判断する。従って、上記第１実施形態の効果に加え、従来の色空間Ｌａｂで写真サイズ等の情報を通信した時にもデータの再利用が可能になるという効果を有する。
【００４９】
（第３の実施形態）
本実施形態は、上記第１実施形態に対し、更に、色空間ＬａｂのＪＰＥＧフルカラーを受信時でも、非定型サイズの画像情報が送信されてきた場合には、受信画像情報をメデイアに格納するものである。
【００５０】
それ以外の構成及び動作については、上記第１実施形態と同様であるためここでは説明を省略する。
【００５１】
図７は、上記第１実施形態と異なる部分の処理について説明するフローチャートである。
【００５２】
本実施形態では、図３のステップＳ１６でＹＥＳと判定されると、ステップＳ５０に進む。つまり、色空間ｓＹＣＣでＪＰＥＧ符号化されたフルカラー画像情報が送信されたと判定した場合に、ステップＳ５０において、受信した画像情報をＲＡＭ１８に一時的に格納する。
【００５３】
次に、ステップＳ５２に進み、受信した画像情報のＪＰＥＧヘッダを解析する。そして、ＪＰＥＧヘッダのＸパラメータ、つまり主走査方向のドット数が、１７２８或いは２０４８のどちらかであるか否かを判断する。もし、主走査方向の画素数がこれらのどちらかの値であれば、原稿画像を読みとって生成された画像情報であると判断して、ステップＳ３０、Ｓ３２に進む。図４（ｃ）で示した処理と同様に、ステップＳ３０は、色空間ｓＹＣＣのＪＰＥＧ符号化のフルカラー情報を受信し記録することを表している。ステップＳ３２は、後手順を表している。
【００５４】
ＪＰＥＧヘッダのＸパラメータが１７２８或いは２０４８のどちらでもない場合には、デジタルカメラなどの撮像装置で撮像された画像情報と判断して、ステップＳ３４、Ｓ３６に進む。図５で示した処理と同様に、ステップＳ３４は、色空間ｓＹＣＣのＪＰＥＧ符号化のフルカラー情報を受信し、カードインターフェイスにセットされているメモリカードに格納することを表している。ステップＳ３６は、後手順を表している。
【００５５】
なお、上記ステップＳ５２では、ＪＰＥＧヘッダのＸパラメータ、つまり主走査方向のドット数が、所定数（ここでは、１７２８或いは２０４８のどちらか）である場合に原稿読取り画像であると判定しているが、本発明はこれに限定されるものではなく、例えば、ＪＰＥＧヘッダのＸパラメータが所定数（例えば、６４０、１０２４、あるいは１６００のいずれか）に該当するか否かを判定し、該当する場合には、原稿読取画像ではないと判断して、ステップ３４に進む処理を行っても良い。
【００５６】
また、ＪＰＥＧヘッダのＸ、Ｙパラメータが所定値（例えば、（６４０、４８０）、（１０２４、７６８）あるいは（１６００、１２００）のいずれか）に該当するか否かを判定し、該当する場合には、原稿読取画像ではないと判断して、ステップ３４に進む処理を行っても良い。
【００５７】
以上、本実施形態では、色空間ｓＹＣＣのＪＰＥＧフルカラー情報を受信した場合に、その主走査方向の画素数に応じて、原稿画像から読みとった画像情報の受信か否かを判断し、それに応じて受信した画像情報の記憶／記録を決定する。
本実施形態に係るファクシミリ装置のユーザは、原稿情報を受信した場合は、従来通り、直ちにプリントを手にすることができ、原稿情報の受信で無い場合には、データの再利用が可能になるという効果を有する。すなわち、受信機側での受信情報の確実な処理が可能になり使い易くなった。
【００５８】
（他の実施形態）
以上、本発明の実施形態について詳述したが、本発明は、複数の機器から構成されるシステムに適用しても良いし、また、一つの機器からなる装置に適用しても良い。
【００５９】
なお、本発明は、前述した実施形態の機能を実現するソフトウェアのプログラムを、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００６０】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００６１】
その場合、プログラムの機能を有していれば、オブジェクトコード、インタプリタにより実行されるプログラム、ＯＳに供給するスクリプトデータ等、プログラムの形態を問わない。
【００６２】
プログラムを供給するための記録媒体としては、例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００６３】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００６４】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００６５】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００６６】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【００６７】
なお、本実施形態中で、制御プログラムが実現すると表現した機能については、電子回路などのハードウェアで実現する構成としてもよい。
【００６８】
本発明の実施態様の例を以下に列挙する。
【００６９】
【実施態様１】
画像情報を通信可能なファクシミリ装置において、
受信する画像情報が示す画像のサイズを判定し、
前記画像のサイズに応じて、該画像情報を記録材に記録するか、或いは、記憶媒体に格納するかを決定することを特徴とするファクシミリ装置。
【００７０】
【実施態様２】
送信側のファクシミリ装置から、非定型サイズの画像情報を送信する、との通知を受け取った後に受信した画像情報は記憶媒体に格納し、送信側のファクシミリ装置から、定型サイズの画像情報を送信する、との通知を受け取った後に受信した画像情報は記録材に記録することを特徴とする実施態様１に記載のファクシミリ装置。
【００７１】
【実施態様３】
送信側のファクシミリ装置から、色空間ｓＹＣＣを用いた非定型サイズの画像情報を送信する、との通知を受け取った後に受信した前記画像情報は、記憶媒体に格納することを特徴とする実施態様１に記載のファクシミリ装置。
【００７２】
【実施態様４】
送信側のファクシミリ装置から、色空間ｓＹＣＣでのＪＰＥＧ符号化情報であってかつ非定型サイズの画像情報を送信する、との通知を受け取った後に受信した前記画像情報は、記憶媒体に格納することを特徴とする実施態様１に記載のファクシミリ装置。
【００７３】
【実施態様５】
送信側のファクシミリ装置から、色空間ｓＹＣＣでのＪＰＥＧフルカラー符号化情報であってかつ非定型サイズの画像情報を送信する、との通知を受け取った後に受信した前記画像情報は、記憶媒体に格納することを特徴とする実施態様１に記載のファクシミリ装置。
【００７４】
【実施態様６】
送信側のファクシミリ装置から、色空間ＬａｂでのＪＰＥＧ符号化情報であってかつ非定型サイズの画像情報を送信する、との通知を受け取った後に受信した前記画像情報は、記憶媒体に格納することを特徴とする実施態様１に記載のファクシミリ装置。
【００７５】
【実施態様７】
送信側のファクシミリ装置から、色空間ＬａｂでのＪＰＥＧフルカラー符号化情報であってかつ非定型サイズの画像情報を送信する、との通知を受け取った後に受信した前記画像情報は、記憶媒体に格納することを特徴とする実施態様１に記載のファクシミリ装置。
【００７６】
【実施態様８】
受信した前記画像情報の主走査方向の画素数によって、前記画像情報を記憶媒体に格納するか否かを判定することを特徴とする実施態様１に記載のファクシミリ装置。
【００７７】
【実施態様９】
受信した前記画像情報の主走査方向及び副走査方向の画素数によって、前記画像情報を記憶媒体に格納するか否かを判定することを特徴とする実施態様１に記載のファクシミリ装置。
【００７８】
【実施態様１０】
画像情報を通信可能なファクシミリ装置の制御方法であって、
受信する画像情報が示す画像のサイズを判定し、
前記画像のサイズに応じて、該画像情報を記録材に記録するか、或いは、記憶媒体に格納するかを決定することを特徴とするファクシミリ装置の制御方法。
【００７９】
【実施態様１１】
上記実施態様１０に記載の制御方法をコンピュータに実行させることを特徴とする制御プログラム。
【００８０】
【実施態様１２】
上記実施態様１１に記載の制御プログラムを格納した記憶媒体。
【００８１】
【発明の効果】
本発明によれば、ファクシミリ通信をより効果的に行うことができる。
【図面の簡単な説明】
【図１】本発明の第１実施形態としてのファクシミリ装置のブロック図である。
【図２】本発明の第１実施形態に係るＤＩＳ／ＤＴＣ、ＤＣＳ信号のＦＩＦ情報の具体例である。
【図３】本発明の第１実施形態に係る制御のフローチャートである。
【図４】本発明の第１実施形態に係る制御のフローチャートである。
【図５】本発明の第１実施形態に係る制御のフローチャートである。
【図６】本発明の第２実施形態に係る制御のフローチャートである。
【図７】本発明の第３実施形態に係る制御のフローチャートである。
【符号の説明】
２．ＮＣＵ
４．電話機
６．ハイブリッド回路
８．変復調器
１０．発呼回路
１２．加算回路
１４．読み取り回路
１６．記録回路
１８．メモリ回路
２０．操作部
２２．ＣＰＵ
２４．ＲＯＭ
２６．バス
２８．カードインターフェイス
３０．メモリカード
【図１】
2004140468.tif 000003
【図２】
2004140468.tif 000004
【図３】
2004140468.tif 000005
【図４】
2004140468.tif 000006
【図５】
2004140468.tif 000007
【図６】
2004140468.tif 000008
【図７】
2004140468.tif 000009